(57)【要約】【課題】広い場所を取らず、コンパクト・軽量で携帯することができ、作業性も良好な屋内消火栓ホースの点検用耐圧試験機にある。【解決手段】耐圧試験機１は、屋内消化栓２１のバルブ２１ａと接続される接続金具３を一端に有し、圧力計４と空気抜き管５とを途中に備えた中空管２に、消火栓のホース２２の一端および他端をそれぞれ接続する接続金具１５、１７を有した１対の枝管１４、１６を備える。消化栓のバルブ２１ａに中空管２を接続し、中空管の枝管１４、１６にホース２２の両端を接続してホースを２つ折り状に展開し、ホースに消火栓からの水を充填して水圧をかけ、ホースの水漏れを調査し耐圧を試験する。ホースの劣化を点検するのに広い場所を要せず、消火栓水圧の測定とホースの耐圧とを同時に試験でき、試験機もコンパクト・軽量で携帯でき、作業性もよい。【選択図】　　　　図２
2004065739.tif 000002
【特許請求の範囲】
【請求項１】
屋内消化栓のバルブと接続される接続金具を一端に有し、圧力計と空気抜き管とを途中に備えた中空管に、消火栓のホースの一端および他端をそれぞれ接続する接続金具を有する対の枝管を少なくとも１対設けたことを特徴とする屋内消火栓ホースの点検用耐圧試験機。
【請求項２】
前記中空管の他端を含む任意の箇所に、該中空管に水を加圧送入する送水ポンプを接続して装備させたことを特徴とする請求項１記載の耐圧試験機。
【発明の詳細な説明】
【０００１】
【発明の属する技術分野】
本発明は、屋内に設置した消火栓のホースの劣化を点検する耐圧試験機に関するものである。
【０００２】
【従来の技術】
屋内に設置した消火栓の中には、ホースを装備したタイプのものが知られており、従来より、ホースの経年劣化による水漏れの有無を定期的に点検することが行われている。
【０００３】
従来の方法は、消化栓箱内に櫛の歯状に折り畳んで収容してある１５ｍ程度のホースを消火栓のバルブに繋いだまま引き出して、ホースの先端にキャップを取り付けて塞ぎ、その状態で消火栓のバルブを開いて水をホース内に充填して水圧をかけ、ホースの水漏れの有無を調べて耐圧を試験し、経年劣化を点検するものである。この方法は、広い場所を必要する難点がある。
【０００４】
一方、消化栓箱内のホースをバルブから取り外し、バルブに接続された端末部耐圧試験機の封止管をホース端部内に装着し、ホース端部内に封止管と封止管先端の封止部材とによって閉塞された空間を形成して、この閉塞空間に水を充填して水圧をかける方法があるが、この方法は、ホース端部における接続金具の装着部のみしか調べられず、残りの大部分のホース本体部については試験できない欠点がある。またこの端末部耐圧試験機は大きく重いので、試験機を移動するのに車両を必要とし、作業性が悪い難点もある。
【０００５】
【発明が解決しようとする課題】
したがって、本発明の課題は、上記従来の問題点に鑑み、広い場所を取らず、コンパクト・軽量で携帯することができ、作業性も良好な屋内消火栓ホースの点検用耐圧試験機を提供することである。
【０００６】
【課題を解決するための手段】
上記課題を解決するために、本発明は、
屋内消火栓ホースの点検用耐圧試験機であって、
屋内消化栓のバルブと接続される接続金具を一端に有し、圧力計と空気抜き管とを途中に備えた中空管に、消火栓のホースの一端および他端をそれぞれ接続する接続金具を有した対の枝管を少なくとも１対設けたことを特徴とする。本発明によれば、前記中空管の他端を含む任意の箇所に、該中空管に水を加圧送入する送水ポンプを接続して装備させることができる。
【０００７】
本発明では、屋内消火栓のバルブに試験機の中空管を接続し、その中空管に設けた１対の枝管にホースの両端を接続してホースを２つ折り状に展開し、ホースに消火栓からの水を充填して水圧をかけ、ホースの水漏れを調査し耐圧を試験することにより、ホースの劣化を点検するのに従来の略半分の長さの場所でよく、広い場所を要しない。また水圧計による消火栓の水圧の測定と、水漏れの目視調査によるホースの耐圧とを同時に試験することができる。試験機の基本構成も、圧力計と空気抜き管とを取り付けた中空管に１対の枝管を設けた簡便な構造なので、コンパクト・軽量であり、試験機を携帯することもでき、作業性もよい。さらに中空管に枝管を２対以上を設けることにより、２本以上のホースを同時に試験することができる。また中空管に水を加圧して送入する送水ポンプを装備させた場合には、消火栓の水圧が低下しているときなどにも対処して、ホースに必要な水圧を得て耐圧を試験することができる。
【０００８】
【発明の実施の形態】
以下、本発明の一実施の形態を図面に基づき詳述する。図１は、本発明の屋内消火栓ホースの点検用耐圧試験機を示す平面図である。
【０００９】
本実施の形態の耐圧試験機１は、図示しない消化栓箱内の消火栓のバルブと接続される接続金具３を一端に有し、途中に圧力計４と空気抜き管５とを設けた中空管２に１対の枝管１４、１６を設けた基本構造を有している。本実施の形態では、さらに中空管２の他端に送水ポンプ２０を装備させている。中空管２の接続金具３は、ホースの一端の消火栓のバルブに接続する接続金具と同一のワンタッチ式のメス型の差し込み金具とされている。
【００１０】
中空管２の接続金具３寄りの位置にはソケット６が直角に設けられ、該ソケット６に空気用カプラであるソケット８がニップル７で取り付けられている。圧力計４と空気抜き管５とはＴ字管９に取り付けられ、Ｔ字管９には空気用カプラであるプラグ１１がニップル１０で取り付けられている。このＴ字管９側のプラグ１１を中空管２側のソケット８に押し込むことにより、圧力計４と空気抜き管５とが中空管２に対し、ソケット８およびプラグ９を介して回転可能かつ取り外し可能に設けられている。また空気抜き管５とＴ字管９との間には、空気抜き管５を開閉するニードルバルブ１２が介挿されている。
【００１１】
枝管１４、１６は、圧力計４および空気抜き管５の取付位置より下流側の中空管２の部分に間隔を開けて設けられ、中空管２の他端側に向けて所定の角度、本例では４５度の傾斜で突出されている。この枝管１４、１６の先端には、消火栓のバルブから外したホース（なお、ホースをバルブに接続せずに、元々外した状態で消火栓箱に収容している場合には、そのホースをそのまま使用する）と接続するための１対の接続金具１５、１７が取り付けられており、このうちの例えば接続金具１５は、ホースの一端に設けられた接続金具と接続するワンタッチ式の雄型の差し込み金具とされ（消火栓のバルブの接続部と同一）、他方の接続金具１７は、ホースの他端に設けられた接続金具と接続するワンタッチ式のメス型の差し込み金具（中空管の接続金具と同一）とされている。
【００１２】
中空管２の接続金具３とは反対側の他端にはレバー１８ａで操作される開閉バルブ１８が取り付けられ、送水ポンプ２０は送水ホース１９により開閉バルブ１８を介して中空管２の他端に接続されている。この送水ポンプ２０は、水を充填した試験機１内の水圧が試験水圧に達しないときに、水を中空管２に送り込んで水圧を高めるように補助的に使用するためのもので、必ずしも必要ではない。本例では、送水ポンプ２０に手動タイプのものを用いている。なお、送水ポンプ２０は、中空管２の他端以外の任意の箇所に設けることができ、そのときは中空管２の他端は栓をして閉じておく。
【００１３】
本実施の形態の耐圧試験機１を使用して屋内消火栓のホースを試験するには、図２に示すように、消火栓２１のバルブ２１ａからホース２２を外し、試験機１の中空管２を適当な支持台２４でバルブ２１ａの高さに支持して、中空管２の接続金具３をバルブ２１ａの接続部に押し込んで連結し、消火栓２２と中空管３とを接続する。また中空管２の枝管１４先端の接続金具１５にホース２２の一端の接続金具２２ａを、枝管１６先端の接続金具１７にホース２２の他端の接続金具２２ｂをそれぞれ押し込んで接続し、枝管１４、１６にホース２２の両端を連結して、ホース２２を２つ折り状に展開する。
【００１４】
ついで消火栓２１のハンドル２１ｂを回してバルブ２１ａを開き、消火栓２１から水を中空管２内に送り込んで、水を中空管２、空気抜き管５、枝管１４、１６およびホース２２まで充填し水圧をかける。ついで空気抜き管５のバルブ１２を何回か開いて排水することにより、試験機１の中空管２を初めとする管内の空気およびホース２２内の空気を抜く。圧力計４の指示が安定して空気が完全に抜けたことを確かめたら、消火栓２１のバルブ２１ａを閉じる。空気抜き管５には、空気抜き時の水を適当な箇所に排水するために排水ホース２３を取り付けておく。
【００１５】
上記のようにして、空気を抜いてホース２２に水圧をかけたら、その状態でホース２２に水漏れの箇所があるか否かを目視で調べ、また圧力計４が示す水圧に変動（減少）があるか否かを調べる。これにより、ホース２２の経年劣化による耐圧を試験でき、また消火栓２１の水圧も測定できる。
【００１６】
上記において、空気が抜けて圧力計４の指示が安定したにもかかわらず、消火栓２１の水圧が低下していて、指示する水圧が試験水圧の下限、例えば２０気圧に満たない場合がある。そのときは、レバー１８ａによりバルブ１８を開き、図示しない水道栓につないだ送水ポンプ２０のハンドル２０ａを手で持って押し込んで、送水ポンプ１９により水道栓からの水を加圧して中空管２に送入する。これにより圧力計４の指示が試験水圧に達したら、バルブ１８を閉めて、上記と同様にホース２２の水漏れを調査し耐圧を試験すればよい。
【００１７】
本実施の形態の耐圧試験機１では、以上のように、屋内消火栓２１のバブル２１ａに接続された中空管２の１対の枝管１４、１６に、消火栓のホース２２の両端を接続してホース２２を２つ折り状に展開し、そのホース２２に消火栓からの水を充填して水圧をかけ、ホース２２の水漏れ箇所を調査し耐圧を試験するようにしたので、ホース２２の劣化を点検するのに従来の略半分の長さの場所でよく、広い場所を要しない。また水圧計４による消火栓２１の水圧の測定と、水漏れの目視調査によるホース２２の耐圧とを同時に試験することができる。
【００１８】
またその耐圧試験機１の基本構成も、圧力計４、空気抜き管５を取り付けた中空管２の途中に、ホース２２の両端を接続する１対の枝管１４、１６を設けた簡便な構造であり、試験機１がコンパクト・軽量で携帯することもでき、作業性がよい。
【００１９】
ちなみに、本試験機１の寸法の一例を示せば、中空管２の一端の接続金具３の外端面と他端の送水ホース１９の取り付け部までの長さが約３８０ｍｍ、中空管２の中心から圧力計４の外端までの長さが約６０ｍｍである。また枝管１４の接続金具１５までの中心軸線における長さが約１２１ｍｍ、枝管１６の接続金具１７までの中心軸線における長さが約１１０ｍｍである。接続金具３および１７は呼び径４０で外径が約７７ｍｍ、接続金具１５は呼び径４０で外径が約４３ｍｍである。
【００２０】
以上の実施の形態では、中空管にホースを接続する枝管を１対設けたが、２対以上を設けてもよく、そうすることにより２本以上のホースを同時に試験することが可能になる。また中空管に水を加圧して送入する送水ポンプは、必ずしも装備する必要がないが、装備させた場合には、消火栓の水圧が低下していても対処して、ホースに必要な水圧を得て耐圧試験を実施することができる。
【００２１】
【発明の効果】
以上の説明から明らかなように、本発明の耐圧試験機によれば、屋内消火栓のホースの耐圧試験を広い場所を取らずに実施して、ホースの劣化を点検することができ、また試験機もコンパクト・軽量で携帯可能にでき、作業性も良好である。
【図面の簡単な説明】
【図１】本発明の耐圧試験機の一実施の形態を示す平面図である。
【図２】図１の耐圧試験機による屋内消火栓のホースの試験法を示す斜視図である。
【符号の説明】
１　　　耐圧試験機
２　　　中空管
３、１５、１７　接続金具
４　　　圧力計
５　　　空気抜き管
１４、１６　枝管
１８　　開閉バルブ
２０　　送水ポンプ
２１　　消火栓
２１ａ　バルブ
【図１】
2004065739.tif 000003
【図２】
2004065739.tif 000004